(57)【要約】  複数の物品を収容するためのカートン（１９０）。該カートンは、カートンの内部周辺で少なくとも部分的に延在する複数のパネルを有する。終端フラップが、該複数のパネルにそれぞれ折り曲げ可能に取り付けられている。該終端フラップは、互いに対して重なり合うことで、カートンの閉端部を少なくとも部分的に形成する。カートンの開口部を少なくとも部分的に画定して容器へアクセスするために、ディスペンサ（７）は、引き裂き線と、カートンに折り曲げ可能に取り付けられた少なくとも１つのディスペンサ部分とを有する。繋板部（７０ａ、７０ｂ）が終端フラップに接続していて、折り曲げられていた繋板部が開かれることによって、終端フラップ間において相対的な動きを可能にし、ディスペンサ部分が外側に枢動して開口部を拡大することを可能にする。
2009525931.tif 000002
【特許請求の範囲】
【請求項１】
複数の物品を収容するためのカートンであって、
前記カートンの内部周囲に少なくとも部分的に延在する複数のパネルと、
折り曲げ可能に前記複数のパネルにそれぞれ取り付けられていて、互いに重なり合うようにして前記カートンの閉口端を少なくとも部分的に形成する終端フラップと、
容器へアクセスするために前記カートンの開口部を少なくとも部分的に画定する、前記カートンに折り曲げ可能に取り付けられている少なくとも１つのディスペンサ部分と引き裂き線とを備えたディスペンサと、
前記終端フラップに接続されている繋板部とを備え、前記ディスペンサ部分を外方に枢動させて前記開口部を拡大することができるように、折り曲げられていた前記繋板部が開くことができるようにされていて前記終端フラップの間で相対的な動きを可能にする、カートン。
【請求項２】
前記複数のパネルは、少なくとも１つのトップパネル、ボトムパネル、第１のサイドパネル、および第２のサイドパネルを備える、請求項１に記載のカートン。
【請求項３】
前記ディスペンサ部分は、前記ディスペンサの初期開口を可能にするために、第１の枢動位置で前記サイドパネルの一方に枢動可能に取り付けられた第１の部分を備える、請求項２に記載のカートン。
【請求項４】
前記第１の部分は、前記サイドパネルの上側部分、前記トップパネルの一部、および前記終端パネルの一部を備える、請求項３に記載のカートン。
【請求項５】
前記第１の枢動位置は、前記サイドパネルにおける折り線から成る、請求項４に記載のカートン。
【請求項６】
前記ディスペンサ部分は、前記開口部を拡大するために、前記ボトムパネルに対して前記ディスペンサ部分を外方に枢動することを可能とするように、第２の枢動位置で前記ボトムパネルに枢動可能に取り付けられた第２の部分を備える、請求項４に記載のカートン。
【請求項７】
前記第２の部分は、前記サイドパネルの下側部分と、前記終端パネルの一部と、前記繋板部と、を備える、請求項６に記載のカートン。
【請求項８】
前記ディスペンサ部分は第１のディスペンサ部分であり、前記開口部は第１の開口部であり、前記カートンは、容器にアクセスするために前記カートンに第２の開口部を形成するための第２のディスペンサ部分をさらに備える、請求項７に記載のカートン。
【請求項９】
前記カートンは、前記トップパネルにハンドルをさらに備え、前記第１および前記第２の開口部は、前記ハンドルにそれぞれ隣接する、請求項８に記載のカートン。
【請求項１０】
前記第２のディスペンサ部分は、第１の枢動位置で前記サイドパネルの一方に枢動可能に取り付けられた第１の部分と、第２の枢動位置で前記ボトムパネルに枢動可能に取り付けられた第２の部分と、を備える、請求項８に記載のカートン。
【請求項１１】
前記第１の枢動位置は、前記サイドパネルの一方における折り線から成り、かつ前記第２のディスペンサ部分を最初に開口するためのものである、請求項１０に記載のカートン。
【請求項１２】
前記第２の枢動位置は、前記サイドパネルと前記ボトムパネルの一方に折り曲げ可能に接続されている折り線から成り、かつ前記開口部を拡大するために、前記ボトムパネルに対して前記第２のディスペンサ部分を外方へ枢動させるためのものである、請求項１１に記載のカートン。
【請求項１３】
前記繋板部は、前記第１のディスペンサ部分を部分的に画定する少なくとも２つの繋板部と、前記第２のディスペンサ部分を少なくとも部分的に画定する２つの繋板部とを含み、前記第１のディスペンサ部分、第２のディスペンサ部分、前記ボトムパネルおよび終端パネルは協働して前記カートンの底部貯蔵部を形成する、請求項８に記載のカートン。
【請求項１４】
前記底部貯蔵部は、接着された継ぎ目を有していない、請求項１３に記載のカートン。
【請求項１５】
前記終端フラップは、サイド終端フラップと、ボトム終端フラップと、トップ終端フラップと、を備え、前記繋板部は、隣接するボトムおよびサイド終端フラップにそれぞれ接続されている繋板部を備える、請求項２に記載のカートン。
【請求項１６】
前記サイド終端フラップの上側部分は、前記トップ終端フラップへそれぞれ接着して取り付けられ、前記サイド終端フラップの下側部分は前記サイドパネルの１つと自由に枢動する、請求項１５に記載のカートン。
【請求項１７】
前記トップパネルと前記サイドパネルの少なくとも一部を備えるハンドルをさらに備える、請求項２に記載のカートン。
【請求項１８】
前記ディスペンサ部分を画定する前記引き裂き線は、前記ハンドルに隣接し、かつ前記ハンドルを少なくとも部分的に画定する、請求項１７に記載のカートン。
【請求項１９】
前記終端フラップは、トップ終端フラップを備え、前記ハンドルは、前記トップパネル及び前記トップパネル終端フラップの少なくとも一部を備えるハンドルパネルと、前記トップパネルに形成されたグリップ部分と、を備える、請求項１７に記載のカートン。
【請求項２０】
前記ハンドルパネルは、前記トップパネルと前記トップパネル終端フラップにおいて２つの離間する引き裂き線によって少なくとも部分的に画定される、請求項１９に記載のカートン。
【請求項２１】
前記トップパネルは第１のトップパネルであり、前記トップパネル終端フラップは、前記第１のトップパネルに折り曲げ可能に取り付けられた第１のトップ終端フラップであり、前記ハンドルパネルは第１のハンドルパネルであり、前記カートンは、前記第１のトップパネルと重なり合って係合するための第２のトップパネルと、前記第２のトップパネルに折り曲げ可能に取り付けられた第２のトップ終端フラップとを備え、前記ハンドルは、前記第２のトップパネル及び前記第２のトップ終端フラップにおいて第２のハンドルパネルを備える、請求項２０に記載のカートン。
【請求項２２】
前記第２のハンドルパネルに折り曲げ可能に取り付けられた補強パネルをさらに備え、前記補強パネルは、前記第２のトップパネルと前記第２のトップパネル終端フラップの少なくとも一部を備える、請求項２１に記載のカートン。
【請求項２３】
前記ハンドルは、前記第１のハンドルパネルと、前記第２のハンドルパネルと、前記補強パネルとを備える３層のハンドルである、請求項２２に記載のカートン。
【請求項２４】
カートンを形成するためのブランクであって、
複数のパネルと、
前記複数のパネルのそれぞれに折り曲げ可能に取り付けられた終端フラップと、
引き裂き線と、前記ブランクから形成される前記カートンの開口部を少なくとも部分的に画定するための少なくとも１つのディスペンサ部分とを備えるディスペンサ機能部と、
前記終端フラップに接続されている繋板部とを備え、前記ディスペンサ部分を外方に枢動させて前記開口部を拡大することができるように、折り曲げられていた前記繋板部が開くことができるようにされていて前記終端フラップの間で相対的な動きを可能にする、ブランク。
【請求項２５】
前記複数のパネルは、少なくとも１つのトップパネルと、ボトムパネルと、第１のサイドパネルと、第２のサイドパネルと、を備える、請求項２４に記載のブランク。
【請求項２６】
前記ディスペンサ部分は、前記ブランクから形成される前記カートンの前記ディスペンサの初期開口を形成するために、第１の枢動位置で前記サイドパネルの一方に枢動可能に取り付けられた第１の部分を備える、請求項２５に記載のブランク。
【請求項２７】
前記第１の部分は、前記サイドパネルの上側部分と、前記トップパネルの一部と、前記終端フラップの一部とを備える、請求項２６に記載のブランク。
【請求項２８】
前記第１の枢動位置は、前記サイドパネルにおける折り線から成る、請求項２７に記載のブランク。
【請求項２９】
前記ディスペンサ部分は、第２の枢動位置で前記ボトムパネルに枢動可能に取り付けられた第２の部分を備え、前記第２の部分は前記サイドパネルの下側部分と２つの繋板部とを備える、請求項２７に記載のブランク。
【請求項３０】
前記ディスペンサ部分は、第１のディスペンサ部分であり、前記ディスペンサ機能部は、第２のディスペンサ部分をさらに備える、請求項２９に記載のブランク。
【請求項３１】
前記第２のディスペンサ部分は、第１の枢動位置で前記サイドパネルの一方に枢動可能に取り付けられた第１の部分と、第２の枢動位置で前記ボトムパネルに枢動可能に取り付けられた第２の部分とを有し、前記第１の枢動位置は、前記サイドパネルの一方における折り線から成り、前記第２の枢動位置は、前記サイドパネル及び前記ボトムパネルの一方に折り曲げ可能に接続されている折り線から成る、請求項３０に記載のブランク。
【請求項３２】
前記ブランクから形成される前記カートンにハンドルを形成するために、前記トップパネル及び前記サイドパネルの少なくとも一部にハンドル機能部をさらに備える、請求項２５に記載のブランク。
【請求項３３】
前記ディスペンサ機能部は、少なくとも１つのハンドル機能部に隣接し、かつ該少なくとも１つのハンドル機能部を少なくとも部分的に画定する前記ディスペンサ部分を画定する引き裂き線を含む、請求項３２に記載のブランク。
【請求項３４】
前記終端フラップは、前記トップパネルに折り曲げ可能に取り付けられたトップ終端フラップを備え、前記ハンドル機能部は、前記トップパネルと前記トップ終端フラップの少なくとも一部を備えるハンドルパネルを備え、前記ハンドルパネルは、前記トップパネルに形成されるグリップ部分を備える、請求項３２に記載のブランク。
【請求項３５】
前記ハンドルパネルは、前記少なくとも１つのトップパネルと前記終端フラップにおいて２つの離間する引き裂き線によって少なくとも部分的に画定される、請求項３４に記載のブランク。
【請求項３６】
前記トップパネルは、第１のトップパネルであり、前記トップ終端フラップは、前記第１のトップパネルに折り曲げ可能に取り付けられた第１のトップ終端フラップであり、前記ハンドルパネルは第１のハンドルパネルであり、前記ブランクは、第２のトップパネルと、前記第２のトップパネルに折り曲げ可能に取り付けられた第２のトップ終端フラップとを備え、前記ハンドル機能部は、前記第２のトップパネル及び前記第２のトップ終端フラップにおいて第２のハンドルパネルを備える、請求項３４に記載のブランク。
【請求項３７】
前記第２のハンドル部分に折り曲げ可能に取り付けられた補強パネルをさらに備え、前記補強パネルは、前記第２のトップパネル及び前記第２のトップ終端フラップの少なくとも一部を備える、請求項３６に記載のブランク。
【請求項３８】
カートンを開く方法であって、
前記カートンの内部周辺で少なくとも部分的に延在し、トップパネルと、ボトムパネルと、第１のサイドパネルと、第２のサイドパネルとを備える複数のパネルと、前記複数のパネルのそれぞれに折り曲げ可能に取り付けられていて互いに重なり合うことによって前記カートンの閉端部を少なくとも部分的に形成する終端フラップと、前記トップパネル及び前記サイドパネルの少なくとも一部を備えるハンドルと、前記カートンに折り曲げ可能に取り付けられ前記トップパネルにおける引き裂き線によって少なくとも部分的に画定されるディスペンサ部分を含むディスペンサと、を有するカートンを提供し、
前記トップパネル及び前記終端フラップとを少なくとも部分的に分離するように前記ハンドルを把持して、前記ディスペンサを作動させるための開口部を形成し、
前記カートンのディスペンサ開口部の大きさを拡大させるために、前記ディスペンサ部分を外方に枢動することによって前記ディスペンサを作動化させる、方法。
【請求項３９】
前記ディスペンサ開口部を形成するために、前記サイドパネルの一方における第１の枢動位置を中心にして前記ディスペンサ部分の上側部分を枢動させる、請求項３８に記載の方法。
【請求項４０】
前記ディスペンサ開口部を拡大させるために、第２の枢動位置を中心として前記ボトムパネルに対して外方に前記ディスペンサ部分を枢動させる、請求項３９に記載の方法。
【請求項４１】
前記カートンは、前記ディスペンサ部分にそれぞれ折り曲げ可能に接続されている２つの繋板部を備え、前記第２の枢動位置を中心に前記ディスペンサ部分を枢動させることは、前記繋板部を伸張させて前記カートンの前記ディスペンサ開口部の大きさをさらに拡大させる、請求項４０に記載の方法。
【請求項４２】
前記ディスペンサ部分は、前記ハンドルの第１の側における第１のディスペンサ部分であり、前記カートンは、前記ハンドルの第２の側において第２のディスペンサ部分をさらに備え、前記カートンの第２のディスペンサ開口部の大きさを拡大させるために、前記第２のディスペンサ部分を外方に枢動させることによって前記第２のディスペンサを作動化させることをさらに含む、請求項４１に記載の方法。
【請求項４３】
前記第２のディスペンサ開口部を形成するために、前記サイドパネルにおける第１の枢動位置を中心に前記第２のディスペンサの上側部分を枢動させることをさらに備える、請求項４２に記載の方法。
【請求項４４】
前記第２のディスペンサ開口部を拡大させるために、第２の枢動位置を中心として前記ボトムパネルに対して外方に前記第２のディスペンサ部分を枢動させることをさらに備える、請求項４３に記載の方法。
【請求項４５】
前記繋板部は、第１の繋板部であり、前記カートンは、前記第２のディスペンサ部分に折り曲げ可能に接続されている第２の繋板部をさらに備え、前記第２のディスペンサ部分を前記第２の枢動位置を中心として枢動させることは、前記第２のディスペンサ開口部を拡大させるために前記繋板部を伸張させること含む、請求項４４に記載の方法。
【請求項４６】
複数の物品を収容するためのカートンであって、
前記カートンの内部周辺に少なくとも部分的に延在する複数のパネルと、
引き裂き線と、前記カートンに折り曲げ可能に取り付けられた少なくとも１つのディスペンサ部分とを備える、ディスペンサと、
終端フラップに接続されている繋板部と、
を備えるカートン。
【請求項４７】
カートンを形成するためのブランクであって、
複数のパネルと、
前記複数のパネルのそれぞれに折り曲げ可能に取り付けられた終端フラップと、
引き裂き線と、少なくとも１つのディスペンサ部分とを備えるディスペンサ機能部と、
前記終端フラップに接続されている繋板部と、
を備えるブランク。
【請求項４８】
カートンを開く方法であって、
前記カートンの内部周辺で少なくとも部分的に延在する複数のパネルと、前記複数のパネルのそれぞれに折り曲げ可能に取り付けられた終端フラップと、ハンドルと、前記カートンに折り曲げ可能に取り付けられたディスペンサ部分を備えるディスペンサと、を有するカートンを提供し、
前記ディスペンサを作動させるための開口部を形成するために、前記複数のパネルの１つのパネルから前記ハンドルを少なくとも部分的に分離するように前記ハンドルを把持し、
前記カートンのディスペンサ開口部の大きさを拡大させるために前記ディスペンサ部分を外方に枢動させることによって前記ディスペンサを作動化させる、方法。
【発明の詳細な説明】
【技術分野】
【０００１】
［関連出願の相互参照］
本願は、２００６年２月６日付けで出願された米国仮出願第６０／７６５，９９４に対し優先権を主張し、その全体の内容は、ここで参照されることにより、本願に援用される。
【背景技術】
【０００２】
［本発明の背景］
飲料容器を収容するためのカートンは公知である。従来のカートンは、ディスペンサパネルが取り除かれた際に形成されるディスペンサ開口部を通じて容器が分配されることを可能にする、取り外し可能なディスペンサパネルを通常有する。あるいは、カートンは、カートンのディスペンサ開口部を形成するために切り離すことができるフラップから形成される終端パネル、またはサイドパネルを有する場合がある。このようなカートンは、カートンを運ぶことを可能にする１つ以上のハンドル開口もしばしば提供される。しかし、このようなハンドルは煩わしい、または使用しづらい場合がある。また従来のカートンは、カートンの内容物を所望の温度に維持するために冷蔵保存、あるいは冷却する必要がある。
【０００３】
［発明の開示］
一態様において、本発明は概して、複数の物品を収容するためのカートンに関する。該カートンは、カートンの内部周囲に少なくとも部分的に延在する複数のパネルを有する。終端フラップが、該複数のパネルのパネルにそれぞれ折り曲げ可能に取り付けられている。該終端フラップは、互いに対して重なり合うことでカートンの閉端部を少なくとも部分的に形成する。ディスペンサは、容器にアクセスするためにカートンに少なくとも部分的に開口部を画定するためのカートンに折り曲げ可能に取り付けられた、少なくとも１つのディスペンサ部分及び引き裂き線を備える。繋板部が終端フラップに接続されている。折り曲げられていた繋板部が開かれることにより終端フラップ間で相対的な動きが可能となり、ディスペンサ部分を外方に枢動させて開口部を拡大することができる。
【０００４】
別の態様において、本発明は概して、カートンを形成するためのブランクに関する。該ブランクは、複数のパネル及び該複数のパネルのそれぞれのパネルにそれぞれ折り曲げ可能に取り付けられた終端フラップを含む。ディスペンサ機能部は、ブランクから形成されるカートンの開口部を少なくとも部分的に画定するための、少なくとも１つのディスペンサ部分と引き裂き線とを備える。繋板部は、終端フラップに接続していて、折り曲げを開くことにより終端フラップ間で相対的な動きが可能となり、ディスペンサ部分を外方に枢動させて開口部を拡大させることができる。
【０００５】
別の態様において、本発明は概して、カートンを開く方法に関する。該方法は、カートンの内部周辺に少なくとも部分的に延在する複数のパネルを有するカートンを設けることを備えている。該複数のパネルは、トップパネルと、ボトムパネルと、第１のサイドパネルと、第２のサイドパネルと、複数のパネルのそれぞれのパネルにそれぞれ折り曲げ可能に取り付けられた終端フラップとを備える。終端フラップは、互いに対して重なり合うことでカートンの閉端部を少なくとも部分的に形成する。ハンドルは、トップパネルとサイドパネルの少なくとも一部分を備える。ディスペンサは、カートンに折り曲げ可能に取り付けられ、かつトップパネルにおける引き裂き線によって少なくとも部分的に画定されるディスペンサ部分を備える。該方法は、ハンドルをトップパネルと終端フラップから少なくとも部分的に分離するように把持して、ディスペンサを作動させるための開口部を形成し、カートンのディスペンサ開口部の大きさを拡大させるために、ディスペンサ部分を外方に枢動させてディスペンサを作動化させることをさらに備える。
【０００６】
別の態様において、本発明は概して、複数の物品を収容するためのカートンに関する。該カートンは、カートン内部の周囲で少なくとも部分的に延在する複数のパネルと、カートンに折り曲げ可能に取り付けられた少なくとも１つのディスペンサ部分及び引き裂き線を備えるディスペンサと、終端フラップに接続されている繋板部とを備える。
【０００７】
別の態様において、本発明は概して、カートンを形成するためのブランクに関する。該ブランクは、複数のパネルと、該複数のパネルのそれぞれのパネルにそれぞれ折り曲げ可能に取り付けられた終端フラップと、少なくとも１つのディスペンサ部分及び引き裂き線を備えるディスペンサ機能部と、終端フラップに接続されている繋板部とを備える。
【０００８】
別の態様において、本発明は概して、カートンを開く方法に関する。該方法は、カートンの内部周辺で少なくとも部分的に延在する複数のパネルと、複数のパネルのそれぞれのパネルにそれぞれ折り曲げ可能に取り付けられる終端フラップと、ハンドルと、カートンに折り曲げ可能に取り付けられるディスペンサ部分を備えるディスペンサと、を有するカートンを提供することを備える。該方法は、ディスペンサを作動させるための開口部を形成するために、少なくとも１つのパネルからハンドルを少なくとも部分的に分離するようにしてハンドルを把持することをさらに備える。該方法は、カートンのディスペンサ開口部の大きさを拡大させるために、ディスペンサ部分を外方に枢動させることによってディスペンサを作動させることを含む。
【発明を実施するための最良の形態】
【０００９】
当業者は、上記に記載の利点および、以下に記載の図面を参照した実施形態の以下の詳しい説明に記載する様々な付加的な実施形態の他の利点と利益を理解するであろう。上記に記載の態様が個別にかつ様々な組合せの両方で提供される点は、本発明の範囲内である。
【００１０】
通常の慣例に従い、以下に述べる図面の様々な特徴は必ずしも正しい縮尺で描かれたものではない。図面における様々な特徴および要素の寸法は、本発明の実施形態をさらに明瞭に示すために拡大または縮小される場合がある。
【００１１】
対応する部分は、図全体にわたる対応する参照番号によって指定されている。
【００１２】
［例示的な実施形態の詳細な説明］
本発明は概して、容器、ボトル、カンなどの物品を収容するカートンのための開口、分配、および取扱い機能部に関する。該物品は、例えば、食品および飲料品を納めるために使用することができる。該物品は、特定の食品、または飲料品を納めるための構成において適切な材料から形成することができ、該材料は、限定されるものではないが、ガラス、アルミニウムおよび／または他の金属、ＰＥＴ、ＬＤＰＥ、ＬＬＤＰＥ、ＨＤＰＥ、ＰＰ、ＰＳ、ＰＶＣ、ＥＶＯＨなどのプラスチックおよびナイロン等、また、これらのあらゆる組合せを含む。
【００１３】
本発明によるカートンはあらゆる形状の物品を収容することができる。本発明の範囲を制限する目的ではなく、説明の目的のため、以下の詳しい説明は、カートンの実施形態内において配置される飲料容器（例えば、プラスチック飲料ボトル）について説明する。本明細書において、「下側」、「ボトム」、「上側」、および「トップ」という用語は、完全に組み立てられ、直立したカートンに関連して定められる方向を示す。
【００１４】
図１は、ブランクの外側の面１の平面図であり、概して８で示され、本発明の例示的な実施形態に従ったカートン１９０（図２）を形成するために使用される。カートン１９０は、容器Ｃのような複数の物品を収容するために使用することができる（図６および７）。カートン１９０は、カートンの上端から容器にアクセスすることを可能にするためにカートンに形成される、概して７で示される（図２）ディスペンサと、カートンを掴み、運ぶためにカートンの上部に形成される、概して１１で示されるハンドルとを有する。図７に示すように、底部貯蔵部１３は、カートンの下側に例えば液体、氷、または他の冷却液を収容するためにカートン１９０の下側に形成される。例示的な一実施形態において、氷は、容器Ｃを冷却するために開いたカートン１９０へ加えることができ、飲料物をその中に保持することができる。氷が溶けると、結果として生じる流出水のすべて、または一部は、底部貯蔵部１３内に保持される。
【００１５】
図示した実施形態において、カートン１９０は、３×４の配列において１段で１２個の容器Ｃを収容する寸法であるが、カートンは異なる、または１つ以上の段数および／または異なる列／行配列（例えば、１×６、３×６、２×６、２×６×２、３×４×２、２×９、など）で異なる又は同じ数量の容器を保持するために寸法化され、形作られるようにしてもよいことを理解されたい。
【００１６】
ブランク３は、縦軸Ｌ１と横軸Ｌ２を有する。図１に示すように、ブランク８は、縦軸中央線ＣＬと、横軸中央線ＣＴに関し、少なくとも部分的な対称性を有してもよい。したがって、全体、または部分的な縦軸および横軸対称を反映するために、図においてある要素は類似、または同一の参照番号を有し、同様または類似の要素は、対応する参照番号のための「ａ」または「ｂ」接尾辞記号表示によって示される場合がある。ブランク８は、横軸方向の折り線２１、３１で、第１および第２のサイドパネル２０、３０に折り曲げ可能に接続するボトムパネル１０と、横軸方向の折り線４１で第１のサイドパネル２０に折り曲げ可能に接続されている第１のトップパネル４０と、横軸方向の折り線５１で第２のサイドパネル３０に折り曲げ可能に接続されている第２のトップパネル５０と、を備える。第１および第２のトップパネル４０、５０は、組み立てられたカートン１９０において少なくとも部分的に重なり合う。
【００１７】
ボトムパネル１０は、第１のボトム終端フラップ１２ａと第２のボトム終端フラップ１２ｂとに折り曲げ可能に接続されている。第１のサイドパネル２０は、第１のサイドフラップ２２ａと第２のサイドフラップ２２ｂとに折り曲げ可能に接続されている。第２のサイドパネル３０は、第１のサイドフラップ３２ａと第２のサイドフラップ３２ｂとに折り曲げ可能に接続されている。第１のトップパネル４０は、第１のトップ終端フラップ４２ａと第２のトップ終端フラップ４２ｂとに折り曲げ可能に接続されている。第２のトップパネル５０は、第１のトップ終端フラップ５２ａと第２のトップ終端フラップ５２ｂとに折り曲げ可能に接続されている。
【００１８】
終端フラップ１２ａ、４２ａ、５２ａおよびサイドフラップ２２ａ、３２ａは、ブランク８の第１の周縁部分に沿って延在し、ブランクの縦軸方向に沿って延在する第１の縦の折り線６２ａで折り曲げ可能に接続されている。終端フラップ１２ｂ、４２ｂ、５２ｂおよびサイドフラップ２２ｂ、３２ｂは、ブランク８の第２の周縁部分に沿って延在し、ブランクの縦軸方向に沿って同様に延在する第２の縦の折り線６２ｂで折り曲げ可能に接続されている。縦軸方向の折り線６２ａ、６２ｂは、例えば、実質的に直線とすることができ、また、ブランクの厚み、または他の要因により１又はそれ以上の場所においてずらすようにしてもよい。カートン５が組み立てられた際、終端フラップ１２ａ、４２ａ、５２ａ、およびサイドフラップ２２ａ、３２ａは、カートンの第１の終端４６を閉じ、終端フラップ１２ｂ、４２ｂ、５２ｂ、およびサイドフラップ２２ｂ、３２ｂはカートンの第２の終端４８を閉じる。本発明の別の実施形態に従い、異なるフラップ配置を、カートン５の終端４６、４８を閉じるために使用することができる。
【００１９】
ボトムパネル１０の各角部に１つ、すなわち、４つの繋板部（ガセット）７０ａ、７０ｂがブランク８に形成される。２つの繋板部７０ａは、斜めの折り線７１ａで第１のサイドパネル２０のサイドフラップ２２ａ、２２ｂに、横軸方向の折り線７５ａでボトム終端パネル１２ａ、１２ｂに、それぞれ折り曲げ可能に接続されている。各繋板部７０ａは、斜めの折り線７３ａで第２の繋板パネル７４ａに折り曲げ可能に接続されている第１の繋板パネル７２ａを備える。他の２つの繋板部７０ｂは、繋板部７０ａと同様の構成および態様で第２サイドパネル３０のサイドフラップ３２ａ、３２ｂにそれぞれ折り曲げ可能に接続されている。
【００２０】
ハンドル１１を備える機能部は、第１のトップパネル４０及び終端フラップ４２ａ、４２ｂにおいて横軸方向の引き裂き線８２、８４および斜めの端部引き裂き線８６、８８によって画定される第１ハンドルパネル８０を含む。ハンドルパネルは、トップパネル４０の中心に位置する幅の狭いグリップ部分８１を含む。第１のトップパネル４０は、グリップ部分８１に隣接し、かつ横軸方向の折り線９４によってトップパネル４０に折り曲げ可能に接続されるアクセスフラップ９３を少なくとも部分的に画定する開口９２と、横軸方向の折り線９６でハンドル部分に折り曲げ可能に接続される衝撃緩和部分９８と、を含む。端部ハンドル開口部９０は、折り線６２ａ、６２ｂにおいてハンドル部分８０の対向する端部に形成される。
【００２１】
図示した実施形態において、ハンドル１１を形成する機能部は、第２のトップパネル５０に第２のハンドルパネル１００を含む。第２のハンドルパネル１００は、トップパネル５０と、サイド終端フラップ５２ａ、５２ｂの横軸方向の引き裂き線１０２と、トップパネルの引き裂き線１０２から縦軸方向に離間し、終端フラップ５２ａ、５２ｂにわたって延在する、横の折り線１０４によって画定される。引き裂き線１０２は、終端フラップ５２ａ、５２ｂの斜めの端部引き裂き線１０６を含む。第２のハンドルパネル１００は、トップパネル５０の中心に位置するグリップ部分１０１を含む。第２のハンドルパネル１００は、それぞれの終端フラップ５２ａ、５２ｂの引き裂き線によって少なくとも部分的に画定され、縦軸方向の折り線６２ａ、６２ｂと概して一致する縦軸方向の折り線１１１で折り曲げ可能に接続されるフラップ１１０を含む。衝撃吸収部分１１４は、折り線１１６でハンドル部分１１０と折り曲げ可能に接続される。ハンドル開口１１２は、ハンドル部分１００のそれぞれの側に形成される。ハンドル補強フラップ１３０は、縦軸方向の折り線１０４で第２のハンドル部分１００に折り曲げ可能に接続され、それぞれの終端フラップ５２ａ、５２ｂおよびトップパネル５０の一部を備える。ハンドル補強フラップ１３０は、縦軸方向の折り線６２ａ、６２ｂに隣接する切り込み１２６を含む。図示した実施形態において、補強フラップ１３０は、ブランク８の横軸方向の幅にわたって延在するが、補強フラップは、本発明から逸脱することがない限り、他の形態で構成されるようにしてもよい。
【００２２】
図示した実施形態において、ディスペンサ７を備える機能部は、ハンドルの１１の一方の側に第１のディスペンサ部分７６ａを、ハンドルの他方の側に第２のディスペンサ部分７６ｂを含む。第１のディスペンサ部分７６ａは、トップパネルの引き裂き線８４と、終端パネル４２ａ、４２ｂの引き裂き線８８と、サイドフラップ２２ａ、２２ｂの斜めの引き裂き線２６ａと、によって少なくとも部分的に画定される。第１のディスペンサ部分７６ａは、折り線７９ａの形態で第１の枢動位置においてサイドパネル２０に枢動可能に取り付けられる上側（第１）部分７７ａを含む。第１のディスペンサ部分７６ａの上側部分７７は、サイドパネル２０の一部と、トップパネル４０の一部と、終端パネル２２ａ、２２ｂの一部とを含む。第１のディスペンサ部分７６ａは、折り線２１の形態で第２の枢動位置においてボトムパネル１０に枢動可能に取り付けられた下側（第２の）部分８３ａを含む。第１のディスペンサ部分７６ａの下側部分８３ａは、折り線７９ａより下側のサイドパネル２０の部分と、引き裂き線２６ａより下側のサイドフラップ２２ａ、２２ｂの部分と、サイドフラップ２２ａ、２２ｂを終端フラップ１２ａ、１２ｂに接続している繋板部７０ａとを含む。
【００２３】
第２のディスペンサ部分７６ｂは概して、第１のディスペンサ部分７６ａと同様の要素を有するように形作られて構成されている。第２のディスペンサ部分７６ｂは、横軸方向の折り線７９ｂで第２のサイドパネル３０に枢動可能に取り付けられた上側部分７７ｂと、ボトムパネル１０に枢動可能に取り付けられた下側部分８３ｂと、を有する。第２のディスペンサ部分を省略することができ、また、本発明から逸脱しない限り、第２のディスペンサ部分を他の形態とすることもできることを理解されたい。
【００２４】
カートン１９０を組み立てる例示的な方法を、以下に詳しく述べる。概して折り線９４及び引き裂き線８４と、折り線４１との間との領域である上側または第１トップパネル４０の外側面に、糊または他の接着剤を塗る。概して引き裂き線１０２と折り線５１との間の領域である、第２トップパネル５０の下側又は内側面及び、補強フラップ１３０の少なくとも一部に糊を塗布してもよい。終端パネル４２ａ、４２ｂ、５２ａ、５２ｂの内部のすべて、または一部にも糊を塗布してもよい。１つ以上の繋板部パネル７２、７４と重なる終端パネル２２ａ、２２ｂの部分にも糊を塗ってもよい。容器Ｃを、３×４×１の割り振りでブランク８内に包みこむことができる。補強フラップ１３０は、補強フラップ１３０の下面が第２のハンドル部分１００の下面と重なるように、折り線１０４に対して内側に折りたたまれる。第１および第２のトップパネル４０、５０が重ねられ両者をしっかり固定する。終端パネル１２、２２、４２、５２を内側へ折り曲げることに加えて、繋板部パネル７２、７４を内側へ折り曲げることによって、ブランク８の終端を閉鎖することができる。
【００２５】
図示した実施形態において、ハンドル１１は、第１および第２のハンドルパネル８０、１００、および補強部分１３０によって形成される３層のハンドルであるが、ハンドルは本発明から逸脱しない限りは、３層以上または以下の層の材料を備えてもよい。ハンドル１１は、重ねられたハンドルパネル８０、１００のいずれかの側にハンドル部分１５１、１５３を含む。カートン１９０は、例えば、平行六面体、または概して平行六面体の形状であるか、または本発明から逸脱しなければ他の形状であってもよい。
【００２６】
ハンドル１１は、使用者がハンドル開口部１５１、１５３に指を置き、概して図５の矢印Ａ４の方向へトップパネル４０、５０からハンドル部分を上へ持ち上げるために、重ねられたハンドルパネル８０、１００を握ることによって作動化させることができる。ハンドルパネル８０、１００の持ち上げにより、引き裂き線８２、８４および１０２でハンドル１１を切り取り、重ねられたトップパネル４０、５０および重ねられた終端フラップ４２ａ、４２ｂ、５２ａ、５２ｂからハンドルを少なくとも部分的に分離する。ハンドルが、１つ以上の線８２、８４、１０２、１０４（図１）に沿ってカートン１９０の残余部分からさらに分離するように、ハンドル１１をさらに部分的に伸張させるようにしてもよい。このように伸張したハンドル１１によってカートン１９０を搬送することができる。あるいは、折り線１１１まわりに内側にカートンフラップ１１０を折り曲げることによって形成されるそれぞれの開口部（図示せず）によってカートンを把持して搬送することができる。
【００２７】
図６に示すように、ディスペンサ７は、それぞれのディスペンサ開口部８１ａ、８１ｂを形成するために、線８６、８８、１０６、２６（図１）に沿ってカートンを裂き、第１および第２のディスペンサ部分７６ａ、７６ｂの上側部分７７ａ、７７ｂを折り線７９ａ、７９ｂを中心に枢動させることによって、部分的に開いた状態にディスペンサ７を作動化される。ディスペンサ開口部８１ａ、８１ｂは、カートン１９０へのアクセスを可能にし、容器Ｃの上端を露出させる。図１０に示すように、サイドパネル２０、３０を矢印Ａ５、Ａ６の方向へ外側へ引っ張り、ディスペンサ部分７６ａ、７６ｂの下側部分８３ａ、８３ｂを枢動させて繋板部７０ａ、７０ｂを外側へ伸張させることによって、カートン１９０のディスペンサ開口部８１ａ、８１ｂはさらに開かれる。図示した実施形態において、サイドパネルの上側部分７８ａ、７８ｂのみがトップパネルに接着するように、トップパネル４２ａ、４２ｂまたは、サイドパネル２２ａ、２２ｂ、３２ａ、３２ｂに糊を選択的に塗るようにしてもよい。引き裂き線２６ａ、２６ｂの下側のサイドパネル２２ａ、２２ｂ、３２ａ、３２ｂの下側部分７８ｃ、７８ｄは、ディスペンサ部分が枢動され、かつ折り曲げられていた繋板部が開かれた際には、当該下側部分が外側へ枢動することができるように、トップパネル４２ａ、４２ｂおよび繋板部７０ａ、７０ｂへの接着取り付けはされていない。あるいは、１つ以上の繋板部パネル７２、７４はボトムパネル１０に対して所望する角度で側壁２０を維持するために、反対側のパネル２２、３２へ糊付けされてもよい。ディスペンサ部分７６ａ、７６ｂの下側部分８３ａ、８３ｂの枢動によって、ディスペンサ開口部８１ａ、８１ｂを拡大させる。
【００２８】
上記記載の実施形態に従い、例えば、氷、冷水、付加的な容器、または他の品目をディスペンサ開口部８１ａ、８１ｂの１つ、または両方を通じてカートン１９０へ収納することができる。繋板部７０、ボトム終端パネル１２、およびサイド終端パネル２２は、カートン１９０の底部を少なくとも部分的に閉じ、カートンの底部において部分的に閉じたボトム貯蔵部１３を形成する。したがって、開放されたカートン１９０の部分的に閉じているボトム貯蔵部１３は、溶解する氷から形成された水、濃縮物、他の液体などの液体および、例えば、ごみ、または粉などの細微粒子物等を保持するように使用することができる。
【００２９】
図７を参照すると、ボトム貯蔵部１３は高さＨＲを有し、これより下のカートン１９０を液密とするようにしてもよい。高さＨＲは、それより下においては、水または他の液体が漏れるおそれがある糊付けされたシール部または継ぎ目が形成されていないカートンの下側の部分を表す。すなわち、図示した実施形態に従い、液体がカートン１９０から逃げるような接着シールまたは他の接合物質は、高さＨＲより下のカートン１９０に配置されていない。したがって、ボトム貯蔵部１３は、ブランク８の折り曲げられた材料の連続した部分から形成されてもよい。糊付けされた継ぎ目のない貯蔵部１３の液密部分の高さＨＲは、概して約０インチから４インチ（約０ｍｍから約１０２ｍｍ）の間であり、さらに好ましくは、約２３/４インチ（約７０ｍｍ）であってもよい。本出願に呈されたすべての寸法の情報は、実例となることを意図したものであり、本発明の範囲を制限するための使用を意図したものではないことを理解されたい。
【００３０】
図示した実施形態のハンドル１１は、３層の構成要素（例えば、ハンドル部分８０、１００および補強フラップ１３０）を備える３層ハンドルである。ハンドル１１は、カートン１９０を片手のみを使って運ぶことを可能にする。ハンドル１１は、例えば、カートン１９０、カートンに収容される容器Ｃ、およびカートンが開かれた後にカートンに装填される氷、または冷水などの付加的な品目を搬送するために十分な強度を有するように選択することができる。
【００３１】
本発明の原理に従ったカートンは、板紙などの材料から形成することができる。したがって、長期間にわたって水、または他の液体にさらされた場合、カートンは、カートンの材料の部分的な透過性によって濡れたカートン表面を通じて液体の通過を可能にする場合がある。本明細書において、「液密」という用語は、液体、または細微粒子物が漏れるおそれがある、いかなる糊付けされた継ぎ目のない材料の連続した部分から形成されるカートンの一部を規定するために概して使用され、したがって、「液密」という用語は、時間とともに水透過可能になる場合があるカートンを包含する。
【００３２】
本発明に従ったブランクは、例えば、コーティングされた板紙および類似の材料から形成することができる。例えば、ブランクの内側および／または外側は、クレーコートでコーティングすることができる。クレーコーティングには、製品、広告、価格コード、および他の情報または画像が印刷されるようにしてもよい。ブランクは、ブランクに印刷されたあらゆる情報を保護するために上塗りでコーティングされてもよい。また、ブランクは、ブランクのどちらか一方側または両側で、例えば湿気防止層でコーティングされてもよい。
【００３３】
例示的な実施形態に従い、ブランクは、通常の紙よりも重く、堅固な厚さの板紙で構成されてもよい。例えば、厚さは少なくとも約１６であり得る。ブランクは、ボール紙、硬化紙、またはカートンパッケージが上述したように少なくとも機能することを可能ならしめるのに適した性質を有するあらゆる他の材料から構成することもできる。ブランクは、選択されたパネル、またはパネル部分において、１つ以上のシート状物質でラミネート加工、またはコーティングすることもできる。
【００３４】
本発明の例示的な実施形態に従い、折り線は、必ずしも直線である必要はないが、それに沿って折り曲げることを容易にする、弱化形態のほぼ線形とすることができる。さらに具体的に言うと、本発明の範囲を制限する目的ではないが、折り線は、弱化の所望の線に沿って材料に破断部分を形成する鈍い刻み刃等で形成された線のような刻み線や、弱化の所望の線に沿って材料に部分的に延在する切り込み、および／または弱化の所望の線に沿って材料に部分的におよび／または貫通して延在する一連の切り込み、およびこれらの特徴的事項の様々な組合せを含む。切り込みを用いて折り線を形成する場合には、道理をわきまえている使用者をして折り曲げ線を引き裂き線と見誤らせてしまうような過度に際立った切込みであってはならない。
【００３５】
上記の実施形態は、糊によって互いに接着された１つまたは複数のパネルを有するものとして説明されてもよい。「糊」という用語は、カートンパネルを定位置に固定するために一般的に使用される接着剤のすべての態様を包含することを意図する。
【００３６】
本発明の前述の説明は、本発明の様々な実施形態を示し、説明している。本発明の範囲を逸脱することなく、上記の構成に様々な変更を行うことが可能であり、上記の説明に含まれる、または付随の図面に図示されたすべての態様は、制限的な意味ではなく、例示的な意味として解釈されることを意図する。さらに、本発明の範囲は、特許請求の範囲内である上記に記載の実施形態の様々な改良、組合せ、改変などにおよぶ。さらに、本開示は、本発明の選択された実施形態のみを示し説明しているが、本発明は、様々な他の組合せ、改変、および状況において使用することが可能であり、本願に明示されるように、発明的概念、上記の教示に相応の、および／または従来技術の技量または知識内の範囲内における変更または改変を行うことが可能である。さらに、各実施形態のある機能および特徴は、選択的に交換可能であってもよく、本発明の範囲を逸脱することなく、本発明の他の図示された、および図示されない実施形態に適用されてもよい。
【図面の簡単な説明】
【００３７】
【図１】本発明の一実施形態に従いカートンを形成するために使用されたブランクの平面図である。
【図２】ブランクから組み立てられたカートンの斜視視図である。
【図３】カートンの第１端面図である。
【図４】カートンの第２端面図である。
【図５】カートンを搬送するための位置に最初に作動化されたハンドルを示す、カートンの側面図である。
【図６】第１および第２のディスペンサ部分が最初に開かれた、カートンの側面図である。
【図７】第１および第２のディスペンサ部分がさらに開かれた、カートンの斜視図である。
【図１】
2009525931.tif 000003
【図２】
2009525931.tif 000004
【図３】
2009525931.tif 000005
【図４】
2009525931.tif 000006
【図５】
2009525931.tif 000007
【図６】
2009525931.tif 000008
【図７】
2009525931.tif 000009
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
複数の物品を収容するためのカートンであって、
前記カートンの内部周囲に少なくとも部分的に延在する複数のパネルと、
折り曲げ可能に前記複数のパネルにそれぞれ取り付けられていて、互いに重なり合うようにして前記カートンの閉口端を少なくとも部分的に形成する終端フラップと、
物品へアクセスするために前記カートンの開口部を少なくとも部分的に画定する、前記カートンに折り曲げ可能に取り付けられている少なくとも１つのディスペンサ部分と引き裂き線とを備えたディスペンサと、
前記終端フラップに接続されている繋板部とを備え、前記ディスペンサ部分を外方に枢動させて前記開口部を拡大することができるように、折り曲げられていた前記繋板部が開くことができるようにされていて前記終端フラップの間で相対的な動きを可能にする、カートン。
【請求項２】
前記複数のパネルは、少なくとも１つのトップパネル、ボトムパネル、第１のサイドパネル、および第２のサイドパネルを備える、請求項１に記載のカートン。
【請求項３】
前記ディスペンサ部分は、前記ディスペンサの初期開口を可能にするために、第１の枢動位置で前記サイドパネルの一方に枢動可能に取り付けられた第１の部分を備える、請求項２に記載のカートン。
【請求項４】
前記第１の部分は、前記サイドパネルの上側部分、前記トップパネルの一部、および前記終端パネルの一部を備える、請求項３に記載のカートン。
【請求項５】
前記第１の枢動位置は、前記サイドパネルにおける折り線から成る、請求項４に記載のカートン。
【請求項６】
前記ディスペンサ部分は、前記開口部を拡大するために、前記ボトムパネルに対して前記ディスペンサ部分を外方に枢動することを可能とするように、第２の枢動位置で前記ボトムパネルに枢動可能に取り付けられた第２の部分を備える、請求項４に記載のカートン。
【請求項７】
前記第２の部分は、前記サイドパネルの下側部分と、前記終端パネルの一部と、前記繋板部と、を備える、請求項６に記載のカートン。
【請求項８】
前記ディスペンサ部分は第１のディスペンサ部分であり、前記開口部は第１の開口部であり、前記カートンは、物品にアクセスするために前記カートンに第２の開口部を形成するための第２のディスペンサ部分をさらに備える、請求項７に記載のカートン。
【請求項９】
前記カートンは、前記トップパネルにハンドルをさらに備え、前記第１および前記第２の開口部は、前記ハンドルにそれぞれ隣接する、請求項８に記載のカートン。
【請求項１０】
前記第２のディスペンサ部分は、第１の枢動位置で前記サイドパネルの一方に枢動可能に取り付けられた第１の部分と、第２の枢動位置で前記ボトムパネルに枢動可能に取り付けられた第２の部分と、を備える、請求項８に記載のカートン。
【請求項１１】
前記第１の枢動位置は、前記サイドパネルの一方における折り線から成り、かつ前記第２のディスペンサ部分を最初に開口するためのものである、請求項１０に記載のカートン。
【請求項１２】
前記第２の枢動位置は、前記サイドパネルと前記ボトムパネルの一方に折り曲げ可能に接続されている折り線から成り、かつ前記開口部を拡大するために、前記ボトムパネルに対して前記第２のディスペンサ部分を外方へ枢動させるためのものである、請求項１１に記載のカートン。
【請求項１３】
前記繋板部は、前記第１のディスペンサ部分を部分的に画定する少なくとも２つの繋板部と、前記第２のディスペンサ部分を少なくとも部分的に画定する２つの繋板部とを含み、前記第１のディスペンサ部分、第２のディスペンサ部分、前記ボトムパネルおよび終端パネルは協働して前記カートンの底部貯蔵部を形成する、請求項８に記載のカートン。
【請求項１４】
前記底部貯蔵部は、接着された継ぎ目を有していない、請求項１３に記載のカートン。
【請求項１５】
前記終端フラップは、サイド終端フラップと、ボトム終端フラップと、トップ終端フラップと、を備え、前記繋板部は、隣接するボトムおよびサイド終端フラップにそれぞれ接続されている繋板部を備える、請求項２に記載のカートン。
【請求項１６】
前記サイド終端フラップの上側部分は、前記トップ終端フラップへそれぞれ接着して取り付けられ、前記サイド終端フラップの下側部分は前記サイドパネルの１つと自由に枢動する、請求項１５に記載のカートン。
【請求項１７】
前記トップパネルと前記サイドパネルの少なくとも一部を備えるハンドルをさらに備える、請求項２に記載のカートン。
【請求項１８】
前記ディスペンサ部分を画定する前記引き裂き線は、前記ハンドルに隣接し、かつ前記ハンドルを少なくとも部分的に画定する、請求項１７に記載のカートン。
【請求項１９】
前記終端フラップは、トップ終端フラップを備え、前記ハンドルは、前記トップパネル及び前記トップパネル終端フラップの少なくとも一部を備えるハンドルパネルと、前記トップパネルに形成されたグリップ部分と、を備える、請求項１７に記載のカートン。
【請求項２０】
前記ハンドルパネルは、前記トップパネルと前記トップパネル終端フラップにおいて２つの離間する引き裂き線によって少なくとも部分的に画定される、請求項１９に記載のカートン。
【請求項２１】
前記トップパネルは第１のトップパネルであり、前記トップパネル終端フラップは、前記第１のトップパネルに折り曲げ可能に取り付けられた第１のトップ終端フラップであり、前記ハンドルパネルは第１のハンドルパネルであり、前記カートンは、前記第１のトップパネルと重なり合って係合するための第２のトップパネルと、前記第２のトップパネルに折り曲げ可能に取り付けられた第２のトップ終端フラップとを備え、前記ハンドルは、前記第２のトップパネル及び前記第２のトップ終端フラップにおいて第２のハンドルパネルを備える、請求項２０に記載のカートン。
【請求項２２】
前記第２のハンドルパネルに折り曲げ可能に取り付けられた補強パネルをさらに備え、前記補強パネルは、前記第２のトップパネルと前記第２のトップパネル終端フラップの少なくとも一部を備える、請求項２１に記載のカートン。
【請求項２３】
前記ハンドルは、前記第１のハンドルパネルと、前記第２のハンドルパネルと、前記補強パネルとを備える３層のハンドルである、請求項２２に記載のカートン。
【請求項２４】
カートンを形成するためのブランクであって、
複数のパネルと、
前記複数のパネルのそれぞれに折り曲げ可能に取り付けられた終端フラップと、
引き裂き線と、前記ブランクから形成される前記カートンの開口部を少なくとも部分的に画定するための少なくとも１つのディスペンサ部分とを備えるディスペンサ機能部と、
前記終端フラップに接続されている繋板部とを備え、前記ディスペンサ部分を外方に枢動させて前記開口部を拡大することができるように、折り曲げられていた前記繋板部が開くことができるようにされていて前記終端フラップの間で相対的な動きを可能にする、ブランク。
【請求項２５】
前記複数のパネルは、少なくとも１つのトップパネルと、ボトムパネルと、第１のサイドパネルと、第２のサイドパネルと、を備える、請求項２４に記載のブランク。
【請求項２６】
前記ディスペンサ部分は、前記ブランクから形成される前記カートンの前記ディスペンサの初期開口を形成するために、第１の枢動位置で前記サイドパネルの一方に枢動可能に取り付けられた第１の部分を備える、請求項２５に記載のブランク。
【請求項２７】
前記第１の部分は、前記サイドパネルの上側部分と、前記トップパネルの一部と、前記終端フラップの一部とを備える、請求項２６に記載のブランク。
【請求項２８】
前記第１の枢動位置は、前記サイドパネルにおける折り線から成る、請求項２７に記載のブランク。
【請求項２９】
前記ディスペンサ部分は、第２の枢動位置で前記ボトムパネルに枢動可能に取り付けられた第２の部分を備え、前記第２の部分は前記サイドパネルの下側部分と２つの繋板部とを備える、請求項２７に記載のブランク。
【請求項３０】
前記ディスペンサ部分は、第１のディスペンサ部分であり、前記ディスペンサ機能部は、第２のディスペンサ部分をさらに備える、請求項２９に記載のブランク。
【請求項３１】
前記第２のディスペンサ部分は、第１の枢動位置で前記サイドパネルの一方に枢動可能に取り付けられた第１の部分と、第２の枢動位置で前記ボトムパネルに枢動可能に取り付けられた第２の部分とを有し、前記第１の枢動位置は、前記サイドパネルの一方における折り線から成り、前記第２の枢動位置は、前記サイドパネル及び前記ボトムパネルの一方に折り曲げ可能に接続されている折り線から成る、請求項３０に記載のブランク。
【請求項３２】
前記ブランクから形成される前記カートンにハンドルを形成するために、前記トップパネル及び前記サイドパネルの少なくとも一部にハンドル機能部をさらに備える、請求項２５に記載のブランク。
【請求項３３】
前記ディスペンサ機能部は、少なくとも１つのハンドル機能部に隣接し、かつ該少なくとも１つのハンドル機能部を少なくとも部分的に画定する前記ディスペンサ部分を画定する引き裂き線を含む、請求項３２に記載のブランク。
【請求項３４】
前記終端フラップは、前記トップパネルに折り曲げ可能に取り付けられたトップ終端フラップを備え、前記ハンドル機能部は、前記トップパネルと前記トップ終端フラップの少なくとも一部を備えるハンドルパネルを備え、前記ハンドルパネルは、前記トップパネルに形成されるグリップ部分を備える、請求項３２に記載のブランク。
【請求項３５】
前記ハンドルパネルは、前記少なくとも１つのトップパネルと前記終端フラップにおいて２つの離間する引き裂き線によって少なくとも部分的に画定される、請求項３４に記載のブランク。
【請求項３６】
前記トップパネルは、第１のトップパネルであり、前記トップ終端フラップは、前記第１のトップパネルに折り曲げ可能に取り付けられた第１のトップ終端フラップであり、前記ハンドルパネルは第１のハンドルパネルであり、前記ブランクは、第２のトップパネルと、前記第２のトップパネルに折り曲げ可能に取り付けられた第２のトップ終端フラップとを備え、前記ハンドル機能部は、前記第２のトップパネル及び前記第２のトップ終端フラップにおいて第２のハンドルパネルを備える、請求項３４に記載のブランク。
【請求項３７】
前記第２のハンドル部分に折り曲げ可能に取り付けられた補強パネルをさらに備え、前記補強パネルは、前記第２のトップパネル及び前記第２のトップ終端フラップの少なくとも一部を備える、請求項３６に記載のブランク。
【請求項３８】
カートンを開く方法であって、
前記カートンの内部周辺で少なくとも部分的に延在し、トップパネルと、ボトムパネルと、第１のサイドパネルと、第２のサイドパネルとを備える複数のパネルと、前記複数のパネルのそれぞれに折り曲げ可能に取り付けられていて互いに重なり合うことによって前記カートンの閉端部を少なくとも部分的に形成する終端フラップと、前記トップパネル及び前記サイドパネルの少なくとも一部を備えるハンドルと、前記カートンに折り曲げ可能に取り付けられ前記トップパネルにおける引き裂き線によって少なくとも部分的に画定されるディスペンサ部分を含むディスペンサと、を有するカートンを提供し、
前記トップパネル及び前記終端フラップとを少なくとも部分的に分離するように前記ハンドルを把持して、前記ディスペンサを作動させるための開口部を形成し、
前記カートンのディスペンサ開口部の大きさを拡大させるために、前記ディスペンサ部分を外方に枢動することによって前記ディスペンサを作動化させる、方法。
【請求項３９】
前記ディスペンサ開口部を形成するために、前記サイドパネルの一方における第１の枢動位置を中心にして前記ディスペンサ部分の上側部分を枢動させる、請求項３８に記載の方法。
【請求項４０】
前記ディスペンサ開口部を拡大させるために、第２の枢動位置を中心として前記ボトムパネルに対して外方に前記ディスペンサ部分を枢動させる、請求項３９に記載の方法。
【請求項４１】
前記カートンは、前記ディスペンサ部分にそれぞれ折り曲げ可能に接続されている２つの繋板部を備え、前記第２の枢動位置を中心に前記ディスペンサ部分を枢動させることは、前記繋板部を伸張させて前記カートンの前記ディスペンサ開口部の大きさをさらに拡大させる、請求項４０に記載の方法。
【請求項４２】
前記ディスペンサ部分は、前記ハンドルの第１の側における第１のディスペンサ部分であり、前記カートンは、前記ハンドルの第２の側において第２のディスペンサ部分をさらに備え、前記カートンの第２のディスペンサ開口部の大きさを拡大させるために、前記第２のディスペンサ部分を外方に枢動させることによって前記第２のディスペンサを作動化させることをさらに含む、請求項４１に記載の方法。
【請求項４３】
前記第２のディスペンサ開口部を形成するために、前記サイドパネルにおける第１の枢動位置を中心に前記第２のディスペンサの上側部分を枢動させることをさらに備える、請求項４２に記載の方法。
【請求項４４】
前記第２のディスペンサ開口部を拡大させるために、第２の枢動位置を中心として前記ボトムパネルに対して外方に前記第２のディスペンサ部分を枢動させることをさらに備える、請求項４３に記載の方法。
【請求項４５】
前記繋板部は、第１の繋板部であり、前記カートンは、前記第２のディスペンサ部分に折り曲げ可能に接続されている第２の繋板部をさらに備え、前記第２のディスペンサ部分を前記第２の枢動位置を中心として枢動させることは、前記第２のディスペンサ開口部を拡大させるために前記繋板部を伸張させること含む、請求項４４に記載の方法。
【請求項４６】
複数の物品を収容するためのカートンであって、
前記カートンの内部周辺に少なくとも部分的に延在する複数のパネルと、
引き裂き線と、前記カートンに折り曲げ可能に取り付けられた少なくとも１つのディスペンサ部分とを備える、ディスペンサと、
終端フラップに接続されている繋板部と、
を備えるカートン。
【請求項４７】
カートンを形成するためのブランクであって、
複数のパネルと、
前記複数のパネルのそれぞれに折り曲げ可能に取り付けられた終端フラップと、
引き裂き線と、少なくとも１つのディスペンサ部分とを備えるディスペンサ機能部と、
前記終端フラップに接続されている繋板部と、
を備えるブランク。
【請求項４８】
カートンを開く方法であって、
前記カートンの内部周辺で少なくとも部分的に延在する複数のパネルと、前記複数のパネルのそれぞれに折り曲げ可能に取り付けられた終端フラップと、ハンドルと、前記カートンに折り曲げ可能に取り付けられたディスペンサ部分を備えるディスペンサと、を有するカートンを提供し、
前記ディスペンサを作動させるための開口部を形成するために、前記複数のパネルの１つのパネルから前記ハンドルを少なくとも部分的に分離するように前記ハンドルを把持し、
前記カートンのディスペンサ開口部の大きさを拡大させるために前記ディスペンサ部分を外方に枢動させることによって前記ディスペンサを作動化させる、方法。
【国際調査報告】
2009525931.tif 000010
2009525931.tif 000011
2009525931.tif 000012